(57)【要約】【課題】従来よりも効率的かつ容易に監視装置の運転画面の割付を変更可能なプラント運転監視制御システムを提供する。【解決手段】プラント運転監視制御システム１０は、プラント運転操作及び監視を行う監視装置１１〜１３と、プラント制御を行う制御装置１７〜１９と、プラント運転操作及び監視の際に監視装置１１〜１３に表示される全運転画面データを一括して格納した運転画面データ管理装置３０を具備し、装置１１〜１３と装置３０とは、各装置１１〜１３から運転画面の割付変更要求を装置３０が受信可能、かつ、装置３０に格納される運転画面データから装置１１〜１３が必要とする運転画面データを取得可能に接続されており、装置１１〜１３は、自己が運転操作および監視を行う際の表示に必要な運転画面データを装置３０から取得して格納することを特徴とする。【選択図】  図２
2010146058.tif 000002
【特許請求の範囲】
【請求項１】
プラントの運転操作および監視を行う少なくとも１つの監視装置と、
前記プラントの制御を行う少なくとも１つの制御装置と、
前記プラントの運転操作および監視を行う際に前記監視装置に表示する必要がある全ての運転画面データを一括して格納した運転画面データ管理装置を具備し、
前記運転画面データ管理装置と前記各監視装置とは、前記監視装置から運転画面の割付変更要求を前記運転画面データ管理装置が受信可能、かつ、前記運転画面データ管理装置に格納される運転画面データから前記各監視装置が必要とする運転画面データを取得可能に接続されており、
前記各監視装置は、自己が運転操作および監視を行う際の表示に必要な運転画面データを前記運転画面データ管理装置から取得して格納することを特徴とするプラント運転監視制御システム。
【請求項２】
前記各監視装置は自己が運転操作および監視を行う際の表示に必要な運転画面データを格納しており、現在格納している運転画面データを取得の度に取得した運転画面データに変更することを特徴とする請求項１記載のプラント運転監視制御システム。
【請求項３】
前記監視装置は、運転画面割付変更を要求する操作を受け付ける入力部と、
前記入力部が受け付けた操作に基づき運転画面割付変更指令を生成し前記運転画面データ管理装置へ送ると共に、運転画面割付変更後の運転画面データを前記運転画面データ管理装置から受信し、現在の運転画面データを受信した運転画面データに変更する運転画面割付変更更新部と、
運転画面割付変更更新部が前記運転画面データ管理装置から受信した運転画面データに基づく運転画面割付変更後の運転画面を表示する出力部と、を備え、
前記運転画面データ管理装置は、前記監視装置の運転画面割付変更更新部から送信される運転画面割付変更指令に基づき、要求する運転画面データを運転画面割付変更指令送信元の監視装置へ送信する運転画面データ提供部を備えることを特徴とする請求項１記載のプラント運転監視制御システム。
【請求項４】
前入力部は、ユーザＩＤおよびパスワード等の運転員に固有の情報の入力操作を受け付ける機能と、受け付けた操作を示す情報を前記運転画面割付変更更新部へ送る機能と、をさらに有し、
前記運転画面割付変更更新部は、運転員に固有の情報を示す操作情報を入力部から受け付けて当該運転員の認証要求を生成し前記運転画面データ管理装置へ出力する機能と、
前記運転画面データ管理装置で行われた運転員の認証結果を前記運転画面データ管理装置から受信する機能と、
前記運転画面データ管理装置から受信した運転員の認証結果を前記出力部へ送る機能と、をさらに有し、
前記出力部は、前記運転画面割付変更更新部から受け取った運転員の認証結果を表示する機能をさらに有し、
前記運転画面データ管理装置は、前記監視装置から運転画面の割付変更要求を受信した際に、前記運転画面の割付変更要求の送信元となる監視装置へ当該運転画面の割付変更を要求する運転員の固有の情報の送信を要求すると共に、当該要求に従って前記監視装置から送信された運転員の固有の情報を受け取ると、受け取った運転員の固有の情報が、前記運転画面割付変更を許可する運転員の固有の情報と合致するかを判断して、前記運転画面割付変更を許可する否かを判定する操作可否判定部をさらに備えることを特徴とする請求項３記載のプラント運転監視制御システム。
【請求項５】
前記運転画面データ管理装置は、運転監視制御対象となる工程と安全上の重要度とを関連付けた工程重要度分類情報と、前記各監視装置が運転画面割付変更指令を受け取った時に何の工程を監視対象としているかを示す監視対象工程情報と、前記監視装置から送られた運転画面割付変更指令とに基づいて、運転画面の割付変更を許可するか否かを判定する運転画面割付変更可否判定部をさらに備えることを特徴とする請求項１記載のプラント運転監視制御システム。
【請求項６】
運転画面データ管理装置は、自己の動作の履歴を動作履歴として記録して保存することを特徴とする請求項１記載のプラント運転監視制御システム。
【請求項７】
少なくとも１つの監視装置でプラントの運転操作および監視を行い、少なくとも１つの制御装置で前記プラントの制御を行うプラント運転監視制御方法において、
前記プラントの運転操作および監視を行う際に前記監視装置に表示する必要がある全ての運転画面データを運転画面データ管理装置に一括して格納し、
前記運転画面データ管理装置が前記監視装置から運転画面の割付変更要求を受信し、
前記各監視装置が自己の運転操作および監視を行う際の表示に必要な運転画面データを前記運転画面データ管理装置から取得して格納することを特徴とするプラント運転監視制御方法。
【発明の詳細な説明】
【技術分野】
【０００１】
本発明は、効率的かつ容易に監視装置の運転画面の割付けを変更可能なプラント運転監視制御システムおよびプラント運転監視制御方法に関する。
【背景技術】
【０００２】
原子力プラントや産業用プラントの運転監視制御を目的として適用されるプラント運転監視制御システムは、ＣＲＴ等のディスプレイに画面表示してプラントの稼動状態監視および運転操作を集中的に行うことができる監視装置と、プラントの制御を行う制御装置とを、制御データを伝送するローカルなネットワーク（ＬＡＮ）にて接続して構成したシステムである。プラント運転監視制御システムでは、複数の監視装置により集中的にプラントの運転操作および監視が行われている。各監視装置にはそれぞれ運転操作および監視を行う工程あるいは系統が割り振られており、換言すれば、各監視装置には監視対象である工程分の運転画面が割付けられている。
【０００３】
上述した従来のプラント運転監視制御システムおよびプラント運転監視制御方法の一例としては、例えば、特開２００１−２９０５３０号公報（特許文献１）や特開２００１−２９０５３３号公報（特許文献２）に記載されるプラント運転監視制御システムおよびプラント運転監視制御方法がある。
【特許文献１】特開２００１−２９０５３０号公報
【特許文献２】特開２００１−２９０５３３号公報
【発明の開示】
【発明が解決しようとする課題】
【０００４】
上述した従来のプラント運転監視制御システムおよびプラント運転監視制御方法では、例えば、プラント定期点検期間における施設の改造及び動作確認時などに、プラント内の特定の工程について通常運転時より多くの監視装置での監視要求が発生した場合や、監視装置のリプレースや故障時に監視装置が不足する場合がある。
【０００５】
このような場合、監視装置の運転画面の割付けを迅速かつ容易に変更することができれば、運転監視機能を維持しつつ、運転員の削減や監視工程を容易に見直すことができ、非常に有益であるが、従来のプラント運転監視制御システムおよびプラント運転監視制御方法では、監視装置の運転画面の割付けを迅速かつ容易に変更したいユーザの要請に応えられずにいた。
【０００６】
従来のプラント運転監視制御システムで採用される運転画面割付変更方法には、二つの方法があり、第１の方法は、プラント運転監視制御システムが運転監視制御対象とする工程の全てについて運転画面グラフィックデータおよび運転画面システムデータ（以下、両者を併せて「運転画面データ」と称する。）を予め全ての監視装置に登録しておき、運転画面割付変更の度に各監視装置に運転監視制御対象とする工程を振り分けて設定する方法である。第２の方法は、プラント運転監視制御システムが運転監視制御対象とする全工程のうち、監視装置毎に運転監視制御する工程を先に振り分け、振り分けた工程の運転画面データを各監視装置に持たせておき、原則的には運転画面割付変更の度に各監視装置の運転画面データを書き換える方法である。
【０００７】
第１の方法を採用して原子力再処理プラントのように多数の監視装置や運転画面枚数を擁するプラント運転監視制御システムが構築されている場合、運転画面の仕様が変更される度に全ての監視装置に登録されている運転画面データを更新する必要がある。また、実際には一部の工程分の運転画面データしか利用しないにも関わらず、監視装置毎に全工程分の運転画面データを保有するため、各監視装置は、利用しない無駄なデータを有することに伴うデータ量の増大に起因してデータ処理の負荷が必要以上にかかり、非効率的であった。
【０００８】
すなわち、第１の方法を採用したプラント運転監視制御システムでは、監視装置の運転画面割付変更は、必要最小限に留めるのが通常であり、第１の方法を採用したプラント運転監視制御システムにおいて、監視装置の運転画面割付変更を頻繁に行うことは実用的ではない。
【０００９】
一方、第２の方法を採用してプラント運転監視制御システムが構築されている場合、現在の運転監視制御対象の工程に合わせて運転画面データが登録されているため、運転画面割付を変更すると、変更後の運転監視制御対象に係る工程の運転画面データは未登録であることが通常である。そうすると、原則として、運転画面割付変更の度に、既存の運転画面データを新たな運転画面データに変更する必要がある。しかしながら、運転画面データの変更には、専用の装置や専門の技術員による作業が発生し、また、設備改造としての諸手続が必要になることから、相応の手間と時間が必要であった。
【００１０】
本発明は、上述した課題を解決するためになされたものであり、プラント運転監視制御システムにおける監視装置の運転画面割付変更を従来装置又は従来方法よりも効率的かつ容易に変更できるプラント運転監視制御システムおよびプラント運転監視制御方法を得ることを目的とする。
【課題を解決するための手段】
【００１１】
本発明に係るプラント運転監視制御システムは、上述した課題を解決するため、プラントの運転操作および監視を行う少なくとも１つの監視装置と、前記プラントの制御を行う少なくとも１つの制御装置と、前記プラントの運転操作および監視を行う際に前記監視装置に表示する必要がある全ての運転画面データを一括して格納した運転画面データ管理装置を具備し、前記運転画面データ管理装置と前記各監視装置とは、前記監視装置から運転画面の割付変更要求を前記運転画面データ管理装置が受信可能、かつ、前記運転画面データ管理装置に格納される運転画面データから前記各監視装置が必要とする運転画面データを取得可能に接続されており、前記各監視装置は、自己が運転操作および監視を行う際の表示に必要な運転画面データを前記運転画面データ管理装置から取得して格納することを特徴とする。
【００１２】
本発明に係るプラント運転監視制御方法は、上述した課題を解決するため、少なくとも１つの監視装置でプラントの運転操作および監視を行い、少なくとも１つの制御装置で前記プラントの制御を行うプラント運転監視制御方法において、前記プラントの運転操作および監視を行う際に前記監視装置に表示する必要がある全ての運転画面データを運転画面データ管理装置に一括して格納し、前記運転画面データ管理装置が前記監視装置から運転画面の割付変更要求を受信し、前記各監視装置が自己の運転操作および監視を行う際の表示に必要な運転画面データを前記運転画面データ管理装置から取得して格納することを特徴とする。
【発明の効果】
【００１３】
本発明によれば、プラント運転監視制御システムの各監視装置に表示させることが必要な全運転画面データを格納した運転画面データ管理装置を具備し、運転画面データ管理装置から各監視装置が必要な運転画面データを取得して現在の運転画面データを自在に変更又は更新することができるので、従来のプラント運転監視制御システム又はプラント運転監視制御方法と比較して効率的かつ容易に運転画面の割付を変更可能なプラント運転監視制御システムを提供することができる。
【発明を実施するための最良の形態】
【００１４】
以下、本発明に係るプラント運転監視制御システムおよびプラント運転監視制御方法について、添付の図面を参照して説明する。
【００１５】
図１は、本発明に係るプラント運転監視制御システムの一実施例であるプラント運転監視制御システム１０の基本構成を示す概略図である。
【００１６】
図１に示されるプラント運転監視制御システム１０は、プラントの一部又は全部の運転を監視し制御するシステムであり、運転監視制御対象の運転状態を監視する例えば三台等の少なくとも一台の監視装置１１〜１３および運転監視制御対象の運転状態を制御する例えば三台等の少なくとも一台の制御装置１７〜１９が、監視装置１１〜１３および制御装置１７〜１９の運転監視制御単位であるフィールド２１〜２３に区分けして監視する。
【００１７】
尚、図１に示される運転監視制御システム１０において、監視装置１１〜１３および制御装置１７〜１９の台数や、各監視装置１１〜１３および各制御装置１７〜１９が運転監視制御するフィールド２１〜２３の数は一例であり、図１に示される数に限定されるものではない。また、図１に示される運転監視制御システム１０では監視装置１１〜１３と制御装置１７〜１９の台数が１：１対応であるが、必ずしも１：１対応であることを要しない。
【００１８】
各監視装置１１〜１３と各制御装置１７〜１９、第１の制御装置１７とフィールド２１、第２の制御装置１８とフィールド２２、および、第３の制御装置１９とフィールド２３とは、運転監視制御のオペレーションを実行する際に必要となる情報（以下、「制御情報」と称する。）を相互に伝送可能な制御情報ネットワーク２５で接続されており、図１に示されるプラント運転監視制御システム１０では、第１の監視装置１１および第１の制御装置１７がフィールド２１の運転監視制御を、第２の監視装置１２および第２の制御装置１８がフィールド２２の運転監視制御を、第３の監視装置１３および第３の制御装置１９がフィールド２３の運転監視制御を行うことができる。
【００１９】
また、プラント運転監視制御システム１０では、上述した監視装置１１〜１３および制御装置１７〜１９に加え、フィールド２１〜２３の運転操作および監視を行う際に監視装置１１〜１３に表示する必要がある全ての画面データ（以下、「運転画面データ」と称する。）を一括して格納した運転画面データ管理装置３０をさらに具備しており、運転画面データ管理装置３０と各監視装置１１〜１３は、主に運転管理上必要なデータを運転画面データ管理装置３０から各監視装置１１〜１３へ伝送するためのネットワーク３２で接続される。
【００２０】
プラント運転監視制御システム１０の第１の監視装置１１は、マン−マシンインターフェイスとしての入力機能および出力機能を有し、運転や運転画面割付変更等に係る操作および状態表示を行う入出力部３４と、入出力部３４から運転操作の内容を示す情報（以下、「運転操作情報」と称する。）を受信し、受信した運転操作情報に基づく運転操作内容に対応した制御指令情報を生成して第１の制御装置１７へ送信する一方、第１の制御装置１７からフィールド２１の状態を示す情報（以下、「状態情報」と称する。）を受信し、受信した状態情報に基づく状態を入出力部３４に表示するための状態表示情報を生成して入出力部３４へ送信する監視制御情報送受信部３５を備える。
【００２１】
第１の監視装置１１は、電子情報を記憶する記憶部（図１において省略）を内蔵しており、当該記憶部には監視対象となるフィールド２１の運転状態表示に使用する運転画面データを含む運転監視テーブル３７が格納される。運転監視テーブル３７は、運転操作情報と制御指令情報、および、状態情報と状態表示情報とが対応付けられており、監視制御情報送受信部３５が運転監視テーブル３７を参照することで、入出力部３４から受信した運転操作情報に基づいて制御指令情報を生成したり、第１の制御装置１７から受信した状態情報に基づいて状態表示情報を生成したりすることができる。
【００２２】
尚、第２の監視装置１２および第３の監視装置１３は、それぞれ第１の監視装置１１と実質的に同等の構成および機能を有する。すなわち、第１の監視装置１１の説明は、そのまま、第２の監視装置１２および第３の監視装置１３の説明に代えることができるので、第２の監視装置１２および第３の監視装置１３の詳細については説明を省略する。
【００２３】
プラント運転監視制御システム１０の第１の制御装置１７は、第１の監視装置１１から受け取った制御指令情報に基づいてフィールド２１を制御するプラント制御信号を生成し、生成したプラント制御信号をフィールド２１に送る一方、フィールド２１から受け取ったプラントの状態を示すプラント状態信号に基づいて状態情報を生成し、生成した状態情報を第１の監視装置１１へ送る。
【００２４】
第１の制御装置１７は、電子情報を記憶する記憶部（図１において省略）を内蔵しており、当該記憶部に監視対象となるフィールド２１の制御を行うプログラムを実行可能に備えた制御テーブル３９を格納する。第１の制御装置１７は、制御テーブル３９を参照してフィールド２１の制御を行うプログラムを実行することで、監視制御情報送受信部３５から受け取った制御指令情報に基づきプラント制御信号を生成してフィールド２１へ送る一方、フィールド２１から受け取ったプラント状態信号に基づき状態情報を生成して第１の監視装置１１へ送ることができる。
【００２５】
尚、第２の制御装置１８および第３の制御装置１９は、それぞれ第１の制御装置１７と実質的に同等の構成および機能を有する。すなわち、第１の制御装置１７の説明は、そのまま、第２の制御装置１８および第３の制御装置１９の説明に代えることができるので、第２の制御装置１８および第３の制御装置１９の詳細については説明を省略する。
【００２６】
次に、図１に示されるプラント運転監視制御システム１０の運転監視制御について説明する。
【００２７】
第１の監視装置１１から運転監視制御対象となるフィールド２１に対して運転操作を行う場合、運転操作を行う運転員は、第１の監視装置１１の入出力部３４からプラント制御機器の起動や連続運転の開始等の操作（入力）を行う。入出力部３４は操作の入力を認識すると、入力された当該操作に対応した運転操作情報を生成する。生成された運転操作情報は、入出力部３４から監視制御情報送受信部３５へ送られる。続いて、監視制御情報送受信部３５は運転操作情報を受信すると、受信した運転操作情報に対応した制御指令情報を生成する。生成された制御指令情報は、監視制御情報送受信部３５から制御情報ネットワーク２５を経由して第１の制御部１７へ送信される。
【００２８】
第１の制御部１７は、第１の監視装置１１の監視制御情報送受信部３５から制御指令情報を受け取ると、受け取った制御指令情報に基づき運転状態を変化させようとする当該制御指令を適用してもフィールド２１に異常が発生する等の問題ないかの妥当性を判断し、妥当と判断した場合、当該制御指令に対応するプラント制御信号を生成する。生成されたプラント制御信号は、第１の制御部１７から制御情報ネットワーク２５を経由してフィールド２１へ送られる。
【００２９】
一方、フィールド２１のプロセス情報を第１の監視装置１１で監視する場合、例えば、図１に示されるフィールド２１において、当該フィールド２１のポンプの起動状態や弁の開状態等の機器状態やこれらの機器によって変化する貯槽の液位や配管内の圧力などのプロセス情報がフィールド２１からプラント状態信号として出力される。第１の制御装置１７は、フィールド２１から制御情報ネットワーク２５を経由してプラント状態信号を受信する。
【００３０】
第１の制御装置１７では、受信したプラント状態信号に基づき、機器の応答状態による状態監視や連続運転時の次ステップへの移行などの制御判定を行うと共に、当該プラント状態信号に対応する状態情報を生成する。生成された状態情報は、制御情報ネットワーク２５を介して第１の監視装置１１へ送信される。
【００３１】
第１の監視装置１１は、第１の制御装置１７から状態情報を監視制御情報送受信部３５で受け取ると、監視制御情報送受信部３５が受け取った状態情報に基づいて、機器状態や異常発生などを入出力部３４に表示するための状態表示情報を生成する。生成された状態表示情報は、監視制御情報送受信部３５から入出力部３４へ送られる。入出力部３４は、監視制御情報送受信部３５から受け取った状態表示情報に基づき、フィールド２１の機器状態や異常発生などの情報を表示する。
【００３２】
上述したプラント運転監視制御システム１０の運転監視制御は、以下に説明する各実施形態に係る運転監視制御システムの一実施例としての第１の運転監視制御システム１０Ａ〜第３の運転監視制御システム１０Ｃのいずれにおいても共通する。
【００３３】
次に、図１に示されるプラント運転監視制御システム１０で実行される運転画面割付変更処理手順について概説する。
【００３４】
プラント運転監視制御システム１０における運転画面割付変更処理手順とは、プラント運転監視制御システム１０の監視装置１１〜１３で運転監視制御の対象を変更する場合に必要となる運転監視画面の割付の変更を行う処理手順であって、運転監視制御対象を変更する監視装置に格納される運転監視テーブル３７の運転画面データを、ネットワーク３２を介して運転画面データ管理装置３０から取得し、これを変更又は更新するものである。
【００３５】
プラント運転監視制御システム１０では、このような運転画面割付変更処理手順を実行することにより、従来のプラント運転監視制御システム又はプラント運転監視制御方法のように、予め監視装置毎に監視対象の工程を設定することに伴う保存および処理データ量が増大する、又は、運転画面の割付変更の都度、専用装置若しくは専門技術員による作業のよる監視装置１１〜１３の改造が必要で多大な手間と時間を要する、といった課題を解決することができる。
【００３６】
本発明に係るプラント運転監視制御システムでは、幾つかの異なる運転画面割付変更処理手順を実行できるように、幾つかの異なる実施形態がある。そこで、本発明の各実施形態に係る運転監視制御システム１０Ａ〜１０Ｃおよび当該運転監視制御システム１０Ａ〜１０Ｃで実行される運転画面割付変更処理手順について詳細を説明する。
【００３７】
［第１の実施形態］
図２は、本発明の第１の実施形態に係るプラント運転監視制御システムの一実施例である第１のプラント運転監視制御システム１０Ａのシステム構成およびプラント運転監視制御システム１０Ａで実行される運転画面割付変更処理手順（以下、「第１の運転画面割付変更処理手順」と称する。）を示した説明図である。
【００３８】
尚、図２に示される第１のプラント運転監視制御システム１０Ａは、図１に示されるプラント運転監視制御システム１０と基本的な構成要素は実質的に同様である（但し、図２，３，７では、例えば、第２の制御装置１８、第３の制御装置１９、フィールド２２，２３、監視制御情報送受信部３５、および、制御テーブル３９等の図１に示される一部構成要素を図面作成および説明の便宜上の観点から省略している）。
【００３９】
また、各実施形態の説明では、各実施形態に特有の事項、すなわち、各実施形態に係る運転画面割付変更処理手順および当該運転画面割付変更処理手順の実行に関わる構成要素に焦点を当てて説明するものとし、各実施形態において共通する構成要素については、図１に示されるプラント運転監視制御システム１０において対応する構成要素と同じ番号を付してその説明を省略する。
【００４０】
図２に示される第１のプラント運転監視制御システム１０Ａは、例えば三台の監視装置１１Ａ〜１３Ａと、監視装置１１Ａ〜１３Ａで表示する全運転画面データを有する運転画面データ管理装置３０Ａとを具備し、各監視装置１１Ａ〜１３Ａと運転画面データ管理装置３０Ａとはネットワーク３２を介して接続される。
【００４１】
第１のプラント運転監視制御システム１０Ａの第１の監視装置１１Ａは、運転画面割付変更を要求する操作を受け付ける入出力部３４と、入出力部３４が受け付けた運転画面割付変更を要求する操作に基づいて運転画面割付変更指令を生成し運転画面データ管理装置３０Ａへ送信する一方、運転画面割付変更後の運転画面データを運転画面データ管理装置３０Ａから受信し、現在の運転画面データを受信した運転画面データに更新又は変更する運転画面割付変更更新部４１Ａを備える。第１の監視装置１１Ａの記憶部には、運転監視テーブル３７が格納されており、運転監視テーブル３７は、運転画面割付変更更新部４１Ａが第１の運転画面割付変更処理手順を実行する際に参照される。
【００４２】
運転画面データ管理装置３０Ａは、監視装置１１Ａ〜１３Ａの運転画面割付変更更新部４１Ａから送信される運転画面割付変更指令に基づき、要求する運転画面データを運転画面割付変更指令送信元の監視装置１１Ａ〜１３Ａへ送信する運転画面データ提供部４５を備える。また、運転画面データ管理装置３０Ａは、運転画面データ提供部４５がアクセス可能な情報として、監視装置１１Ａ〜１３Ａで表示する全運転画面データを有し、運転画面割付変更指令と各運転画面データとが対応付けられた運転画面データテーブル４６と、運転画面データ管理装置３０Ａで実行された処理ステップ（例えば、どの監視装置にどの工程の運転画面データをいつ送信した等）を動作履歴として記録する動作履歴テーブル４７Ａとを格納する。
【００４３】
尚、第１のプラント運転監視制御システム１０Ａにおいて、運転画面データ管理装置３０Ａに格納される動作履歴テーブル４７Ａは、監視装置１１Ａ〜１３Ａの運転画面割付変更処理手順を実行するに際して、必ずしも必要な情報ではない。
【００４４】
次に、第１のプラント運転監視制御システム１０Ａが実行する第１の運転画面割付変更処理手順について説明する。
【００４５】
第１の運転画面割付変更処理手順は、図２に矢印で示される経路で各種情報の授受が行われる。運転員等のユーザが、何れかの監視装置（図２に示す例では第１のプラント監視装置１１Ａ）の運転画面の割付を変更するために、当該監視装置１１Ａの運転画面割付変更要求を入出力部３４から入力すると、第１の運転画面割付変更処理手順をスタートし、まず、入出力部３４が入力された操作内容に対応する運転画面割付変更操作情報を生成し、運転画面割付変更更新部４１Ａへ送る。
【００４６】
運転画面割付変更更新部４１Ａは、入出力部３４から運転画面割付変更操作情報を受け取ると、運転監視テーブル３７を参照して、運転画面割付変更操作情報に対応する運転画面割付変更指令を生成する。そして、運転画面割付変更更新部４１Ａは、生成した運転画面割付変更指令を、ネットワーク３２を介して伝送可能に接続された運転画面データ管理装置３０Ａへ送る。
【００４７】
運転画面データ管理装置３０Ａにおいて、運転画面割付変更更新部４１Ａから送られた運転画面割付変更指令は、運転画面データ提供部４５が受信する。運転画面データ提供部４５が運転画面割付変更更新部４１Ａからの運転画面割付変更指令を受信すると、運転画面データテーブル４６を参照して、受信した運転画面割付変更指令に対応する運転画面データを取得し、取得した運転画面データを運転画面割付変更指令の送信元である第１の監視装置１１Ａへ送信する。この時、運転画面データ提供部４５は、受信した運転画面割付変更指令に対応する運転画面データを運転画面割付変更指令の送信元である第１の監視装置１１Ａへ送信した処理ステップを動作履歴として動作履歴テーブル４７Ａに記録する。
【００４８】
続いて、第１の監視装置１１Ａの運転画面割付変更更新部４１Ａが、運転画面データ管理装置３０Ａからネットワーク３２を介して送られた運転画面割付変更指令に対応する運転画面データを受信すると、現在運転監視テーブル３７に格納されている運転画面データを、受信した運転画面データに変更又は更新する。そして、運転画面割付変更指令の送信元である第１の監視装置１１Ａにおける運転画面の割付を変更した結果を入出力部３４に出力する。
【００４９】
運転画面割付変更指令の送信元である第１の監視装置１１Ａの入出力部３４に運転画面の割付を変更した結果が出力されると、第１の運転画面割付変更処理手順は、全ての処理ステップを終了する。このように、第１のプラント運転監視制御システム１０Ａは、上述した処理ステップを備える第１の運転画面割付変更処理手順を実行することによって、運転画面割付変更指令の送信元である監視装置（図２に示す例では第１の監視装置１１Ａ）の運転画面の割付変更を効率的かつ容易に実現することができる。
【００５０】
第１のプラント運転監視制御システム１０Ａおよび第１の運転画面割付変更処理手順によれば、監視装置１１Ａ〜１３Ａから運転員が運転画面の割付変更を入力操作して要求することによって、監視装置１１Ａ〜１３Ａに任意の工程の運転画面を割り付けることができ、従来の運転監視制御システムおよび運転画面割付変更方法と比べて効率的かつ容易に運転画面の割付けを変更できる。
【００５１】
また、従来の運転監視制御システムおよび運転画面割付変更方法と比べて監視装置１１Ａ〜１３Ａの運転画面の割付変更が効率的かつ容易に行えるため、運転監視機能を維持しつつ運転員を効率的に配置することができ、この結果、従来の運転監視制御システムに対して運転員を削減でき、運転効率を向上させることができる。
【００５２】
さらに、監視装置１１Ａ〜１３Ａの運転画面データの改造要求が発生した場合であっても、まず、運転画面データ管理装置３０Ａに格納されている運転画面データとしての運転画面データテーブル４６を改造しておけば、その後、必要な監視装置１１Ａ〜１３Ａにおいて、それぞれ必要な運転画面データを運転画面データ管理装置３０Ａから取得して書き換えることができるので、効率的に監視装置１１Ａ〜１３Ａの運転画面データを改造することができる。
【００５３】
さらにまた、監視装置１１Ａ〜１３Ａに格納された運転画面データが何らかの理由で破壊した場合にも、運転員が必要な運転画面データを運転画面データ管理装置３０Ａから取得することによって、専用の装置や専門の技術員による作業を介在させることなく破壊していた運転画面データを修復することができる。
【００５４】
また、監視装置１１Ａ〜１３Ａには必要最小限の運転画面データを格納するだけで良いので、監視装置内のデータ容量を最小限に抑えることができ、データ処理負荷が必要以上に増大する事態を回避できる。
【００５５】
［第２の実施形態］
図３は、本発明の第２の実施形態に係るプラント運転監視制御システムの一実施例である第２のプラント運転監視制御システム１０Ｂのシステム構成およびプラント運転監視制御システム１０Ｂで実行される運転画面割付変更処理手順（以下、「第２の運転画面割付変更処理手順」と称する。）を示した説明図である。
【００５６】
図３に示される第２のプラント運転監視制御システム１０Ｂは、図２に示される第１のプラント運転監視制御システム１０Ａに対して、監視装置１１Ｂ〜１３Ｂから運転画面の割付変更要求があった場合に、当該運転画面割付変更を許可するか否かを判定する機能を付加したプラント運転監視制御システムである。
【００５７】
第２のプラント運転監視制御システム１０Ｂは、図２に示される第１のプラント運転監視制御システム１０Ａの監視装置１１Ａ〜１３Ａおよび運転画面データ管理装置３０Ａの代わりに、監視装置１１Ｂ〜１３Ｂおよび運転画面データ管理装置３０Ｂを具備する点で第１のプラント運転監視制御システム１０Ａと相違するが、他の構成要素については実質的に相違しない。そこで、本実施形態では、第１のプラント運転監視制御システム１０Ａと実質的に相違しない構成要素については同じ符号を付して説明を省略する。
【００５８】
図３に示される第２のプラント運転監視制御システム１０Ｂは、例えば三台の監視装置１１Ｂ〜１３Ｂと、監視装置１１Ｂ〜１３Ｂで表示する全運転画面データを有する運転画面データ管理装置３０Ｂとを具備し、各監視装置１１Ｂ〜１３Ｂと運転画面データ管理装置３０Ｂとはネットワーク３２を介して接続される。
【００５９】
第２のプラント運転監視制御システム１０Ｂの第１の監視装置１１Ｂは、入出力部３４と、運転画面割付変更更新部４１Ａの機能に、運転画面データ管理装置３０Ｂで行われた運転画面割付変更を許可するか否かの判定結果を運転画面データ管理装置３０Ｂから受信する機能および運転画面データ管理装置３０Ｂから受信した運転画面割付変更可否判定結果を入出力部３４へ出力する機能をさらに付加した運転画面割付変更更新部４１Ｂと、を備える。尚、第２の監視装置１２Ｂおよび第３の監視装置１３Ｂは、第１の監視装置１１Ｂと実質的に同じ構成なので、詳細な説明は省略する。
【００６０】
運転画面データ管理装置３０Ｂは、運転画面データ管理装置３０Ａに対して、監視装置１１Ｂ〜１３Ｂから送られた運転画面割付変更指令に基づいて、運転画面の割付変更を許可するか否かを判定する運転画面割付変更可否判定部５１をさらに備え、運転画面割付変更可否判定部５１がアクセス可能な情報として、運転監視制御対象となる工程を安全上の重要度に応じて分類した工程重要度分類情報を有する工程重要度分類テーブル５２（詳細は後述の図４に示す）と、第２の運転監視制御システム１０Ｂに属する各監視装置１１Ｂ〜１３Ｂが、運転画面割付変更指令を受け取った時に何の工程を監視対象としているかを示す監視対象工程情報を有する監視装置監視対象工程テーブル５３（詳細は後述の図５に示す）とをさらに格納する。
【００６１】
図４は運転画面データ管理装置３０Ｂの運転画面割付変更可否判定部５１が参照する工程重要度分類テーブル５２の一例を示す説明図であり、図５は運転画面データ管理装置３０Ｂの運転画面割付変更可否判定部５１が参照する監視装置監視対象工程テーブル５３の一例を示す説明図である。
【００６２】
工程重要度分類テーブル５２は、図４に示されるように、工程名称と重要度の情報とを関連付けて有する。ここで、重要度とは、第２のプラント運転監視制御システム１０Ｂの運転監視制御対象となる工程を安全上の重要度が高いものから順に「高」と「低」の２つに分類した情報である。運転画面割付変更可否判定部５１は、図４に示される工程重要度分類テーブル５２を参照することで、第１の工程の重要度は高、第２の工程の重要度は低、第３の工程の重要度は高、第４の工程の重要度が低、と判定できる。
【００６３】
監視装置監視対象工程テーブル５３は、図５に示されるように、監視装置名称と運転監視制御対象となる工程（監視対象工程）とを関連付けて有する。従って、運転画面割付変更可否判定部５１は、図５に示される監視装置監視対象工程テーブル５３を参照することで、第１の監視装置１１Ｂの監視対象工程は、第１の工程と第２の工程第と第３の工程であり、第２の監視装置１２Ｂの監視対象工程は、第１の工程と第４の工程第と第５の工程であり、第３の監視装置１３Ｂの監視対象工程は、第４の工程と第６の工程第と第７の工程である、と判定できる。
【００６４】
運転画面割付変更可否判定部５１は、上記判定結果に基づき、運転監視制御対象から外れる工程の重要度や運転監視制御対象から外れる工程を何れか監視装置１１Ｂ〜１３Ｂで監視制御しているか等を考慮して、運転監視制御対象となるプラントの安全な運転監視制御が維持できるか否かを判定することによって、運転画面の割付変更の可否を決定する。
【００６５】
図６は、運転画面割付変更可否判定部５１が実行する運転画面割付変更可否判定処理手順の処理フロー図である。尚、図６に示される運転画面割付変更可否判定処理手順は、図３に示される第１の監視装置１１Ｂから当該監視装置１１Ｂの運転画面の割付変更を要求した場合の例を説明したものである。
【００６６】
運転画面割付変更可否判定部５１は、監視装置１１Ｂ〜１３Ｂから運転画面割付変更指令を受信すると、運転画面割付変更可否判定処理手順（ステップＳ１〜ステップＳ７）の実行を開始（ＳＴＡＲＴ）する。運転画面割付変更可否判定処理手順は、まず、ステップＳ１で運転画面割付変更指令に基づいて運転画面の割付を変更した場合に当該変更によって運転監視制御の対象から外れる工程が重要度「高」であるか否か判定される。ステップＳ１では、運転画面割付変更可否判定部５１が工程重要度分類テーブル５２を参照し、運転監視制御の対象から外れる工程の重要度「高」又は「低」を取得して判定する。
【００６７】
運転監視制御の対象から外れる工程が重要度「高」である場合（ステップＳ１でＹＥＳの場合）、続くステップＳ２で、運転監視制御の対象から外れる工程を、運転画面割付変更指令の送信元である第１の監視装置１１Ｂ以外の監視装置１２Ｂ，１３Ｂで運転制御監視しているか否かが判定される。ステップＳ２では、運転画面割付変更可否判定部５１が監視装置監視対象工程テーブル５３を参照し、第２の監視装置１２Ｂの監視対象工程および第３の監視装置１３Ｂの監視対象工程の中に外れる工程が存在するか否かを判定する。
【００６８】
監視装置１２Ｂ，１３Ｂが運転制御監視対象とする監視対象工程の中に外れる工程がない場合（ステップＳ２でＮＯの場合）、続くステップＳ３で、運転画面割付変更可否判定部５１が、運転画面の割付変更を許可しないと判定し、運転画面割付変更可否判定処理手順を終了する（ＥＮＤ）。これは、外れる工程が安全上の重要度が高いにも拘らず、他の監視装置１２Ｂ，１３Ｂでも外れる工程を運転制御監視対象としていないとすれば、安全な運転監視制御を維持する観点から好ましくないからである。
【００６９】
一方、監視装置１２Ｂ，１３Ｂが運転制御監視対象とする監視対象工程の中に外れる工程がある場合（ステップＳ２でＹＥＳの場合）、ステップＳ４に進み、ステップＳ４で運転画面の割付変更を要求する第１の監視装置１１Ｂへ当該工程を運転制御監視対象から外して良いかが確認される。ステップＳ４が実行されると、運転画面割付変更可否判定部５１から第１の監視装置１１Ｂ（運転画面割付変更更新部４１Ｂ）へ当該工程を運転制御監視対象から外して良いかを確認する旨の情報が送信され、第１の監視装置１１Ｂの入出力部３４に運転制御監視対象から外して良いかを確認する旨が表示される。
【００７０】
運転員は、入出力部３４に運転制御監視対象から外して良いかを確認する旨の表示を見て、外して良い（ＹＥＳ）又は外してはいけない（ＮＯ）を入出力部３４に入力することができる。そして、入出力部３４が運転員の確認結果を受け取ると、入力された確認結果を示す操作情報を運転画面割付変更更新部４１Ｂへ送信し、運転画面割付変更更新部４１Ｂが受信した操作情報に基づき、外して良い（ＹＥＳ）又は外してはいけない（ＮＯ）を指示する操作指令を生成して運転画面データ管理装置３０Ｂへ送信する。
【００７１】
運転画面データ管理装置３０Ｂの運転画面割付変更可否判定部５１が、第１の監視装置１１Ｂからの操作指令を受け取ると、ステップＳ４に続いてステップＳ５が実行される。ステップＳ５で運転画面割付変更可否判定部５１が受け取った操作指令が「外して良い」を示すものであった場合（ステップＳ５でＹＥＳの場合）、続くステップＳ６で運転画面割付変更可否判定部５１が運転画面の割付変更を許可して運転画面割付変更可否判定処理手順を終了する（ＥＮＤ）。
【００７２】
また、ステップＳ５で運転画面割付変更可否判定部５１が受け取った操作指令が「外してはいけない」を示すものであった場合（ステップＳ５でＮＯの場合）、ステップＳ３に進み、ステップＳ３の処理ステップが実行される。上述したように、ステップＳ３の処理ステップが完了すると運転画面割付変更可否判定処理手順は終了する（ＥＮＤ）。
【００７３】
一方、ステップＳ１において、運転監視制御の対象から外れる工程が重要度「低」である場合（ステップＳ１でＮＯの場合）、ステップＳ７に進み、ステップＳ７で運転画面の割付変更の前後で運転監視制御対象から外れる工程を、他の監視装置１２Ｂ，１３Ｂで監視しているか否かが判断される。
【００７４】
運転画面の割付変更の前後で運転監視制御対象から外れる工程を、他の監視装置１２Ｂ，１３Ｂで監視している場合（ステップＳ７でＹＥＳの場合）、ステップＳ６に進み、ステップＳ６の処理ステップが実行される。上述したように、ステップＳ６の処理ステップが完了すると運転画面割付変更可否判定処理手順は終了する（ＥＮＤ）。逆に、運転画面の割付変更の前後で運転監視制御対象から外れる工程を、他の監視装置１２Ｂ，１３Ｂで監視していない場合（ステップＳ７でＮＯの場合）、ステップＳ４に進み、ステップＳ４以降の処理ステップが実行される。
【００７５】
次に、図３に戻って、第２のプラント運転監視制御システム１０Ｂが実行する第２の運転画面割付変更処理手順について説明する。
【００７６】
第２の運転画面割付変更処理手順は、図３に矢印で示される経路で各種情報の授受が行われ、運転画面の割付を変更したい監視装置（図３に示す例では第１のプラント監視装置１１Ｂ）から運転画面割付変更指令を、ネットワーク３２を介して伝送可能に接続された運転画面データ管理装置３０Ｂへ送るまでの処理ステップは、第１の運転画面割付変更処理手順と同様である。
【００７７】
続いて、運転画面データ管理装置３０Ｂにおいて、第１の監視装置１１Ｂの運転画面割付変更更新部４１Ｂから送られた運転画面割付変更指令は、まず、運転画面割付変更可否判定部５１が受信し、工程重要度分類テーブル５２および監視装置監視対象工程テーブル５３を参照して運転画面割付変更指令を許可するか否かを判定する処理手順（図６に示される運転画面割付変更可否判定処理手順）を実行する。
【００７８】
また、運転画面割付変更可否判定部５１は、運転画面割付変更の可否判定処理ステップの実行に関する履歴（例えば、どの監視装置からどの工程の運転画面割付変更の要求があったか、可否判定処理ステップの実行時刻、および判定結果等）を動作履歴として動作履歴テーブル４７Ｂに記録する。尚、運転画面データ管理装置３０Ｂに格納される動作履歴テーブル４７Ｂは、監視装置１１Ｂ〜１３Ｂの運転画面割付変更処理手順を実行するに際して、必ずしも必要な情報ではない。
【００７９】
運転画面割付変更可否判定部５１が運転画面割付変更を許可する場合、運転画面割付変更指令が運転画面割付変更可否判定部５１から運転画面データ提供部４５へ送信され、運転画面データ提供部４５が運転画面の割付を変更するために必要とする運転画面データを取得して第１の監視装置１１Ｂへ送ると共に動作履歴を動作履歴テーブル４７Ｂに記録する。また、運転画面データ提供部４５は、運転画面割付変更後における監視装置１１Ｂ〜１３Ｂの監視対象工程の情報を監視装置監視対象工程テーブル５３に反映する。すなわち、監視装置監視対象工程テーブル５３が有する監視対象工程情報を新しい状態に書き換える。
【００８０】
第１の監視装置１１Ｂが運転画面データ管理装置３０Ｂからネットワーク３２を介して送られた運転画面割付変更指令に対応する運転画面データを受信する以降の処理ステップについては、第１の運転画面割付変更処理手順において、第１の監視装置１１Ａの運転画面割付変更更新部４１Ａが行う処理ステップと同様である。
【００８１】
一方、運転画面割付変更可否判定部５１が運転画面割付変更を許可しない場合、その判定結果は、画面データ管理装置３０Ｂ（運転画面割付変更可否判定部５１）からネットワーク３２を介して第１の監視装置１１Ｂへ送られる。第１の監視装置１１Ｂでは、運転画面割付変更更新部４１Ｂが、運転画面割付変更可否判定結果を受け取り、運転画面割付変更更新部４１Ｂが、送られた運転画面割付変更可否判定結果を入出力部３４に出力する。
【００８２】
第２のプラント運転監視制御システム１０Ｂおよび第２の運転画面割付変更処理手順によれば、第１のプラント運転監視制御システム１０Ａおよび第１の運転画面割付変更処理手順が奏する効果に加えて、監視装置１１Ｂ〜１３Ｂの運転画面の割付を変更するにあたって安全上重要度の高い設備を含む工程については少なくとも一つの監視装置１１Ｂ〜１３Ｂで監視するよう制限を設けることによって、運転監視制御対象となるプラントの安全監視機能を保つことができる。
【００８３】
［第３の実施形態］
図７は、本発明の第３の実施形態に係るプラント運転監視制御システムの一実施例である第３のプラント運転監視制御システム１０Ｃのシステム構成およびプラント運転監視制御システム１０Ｃで実行される運転画面割付変更処理手順（以下、「第３の運転画面割付変更処理手順」と称する。）を示した説明図である。
【００８４】
図７に示される第３のプラント運転監視制御システム１０Ｃは、図２に示される第１のプラント運転監視制御システム１０Ａに対して、監視装置１１Ｃ〜１３Ｃから運転員が運転画面の割付変更を要求する場合に、当該運転員の操作権限に基づいて運転画面の割付変更操作を許可するか否かを判定する機能、いわば、運転員の認証機能を付加したプラント運転監視制御システムである。
【００８５】
図７に示される第３のプラント運転監視制御システム１０Ｃは、図２に示される第１のプラント運転監視制御システム１０Ａに対して、監視装置１１Ａ〜１３Ａおよび運転画面データ管理装置３０Ａの代わりに、監視装置１１Ｃ〜１３Ｃおよび運転画面データ管理装置３０Ｃを具備する点で相違するが、他の構成要素については実質的に相違しない。そこで、本実施形態では、第１のプラント運転監視制御システム１０Ａと実質的に相違しない構成要素については同じ符号を付して説明を省略する。
【００８６】
図７に示される第３のプラント運転監視制御システム１０Ｃは、例えば三台の監視装置１１Ｃ〜１３Ｃと、監視装置１１Ｃ〜１３Ｃで表示する全運転画面データを有する運転画面データ管理装置３０Ｃとを具備し、各監視装置１１Ｃ〜１３Ｃと運転画面データ管理装置３０Ｃとはネットワーク３２を介して接続される。
【００８７】
第３のプラント運転監視制御システム１０Ｃの第１の監視装置１１Ｃは、マン−マシンインターフェイスとしての入力機能および出力機能を有する入出力部３４と、運転画面割付変更更新部４１Ａの機能に対して運転員の認証機能をさらに付加した運転画面割付変更更新部４１Ｃとを備える。
【００８８】
入出力部３４は、運転画面割付変更を要求する操作に加え、例えば、ユーザＩＤおよびパスワード等の運転員に固有の情報（以下、「運転員ＩＤ情報」と称する。）の入力操作を受け付ける機能と、受け付けた操作を示す情報を運転画面割付変更更新部４１Ｃへ送る機能と、運転員の認証結果を表示する機能とを有する。
【００８９】
運転画面割付変更更新部４１Ｃは、運転画面割付変更更新部４１Ａの機能に、運転画面データ管理装置３０Ｃからの運転員ＩＤ情報送信要求を受信する機能、運転員ＩＤ情報送信要求に基づき運転員ＩＤ情報の入力を要求する表示情報を入出力部３４へ送る機能、運転員ＩＤ情報を示す操作情報を入出力部３４から受け付けて当該運転員の認証要求を生成し運転画面データ管理装置３０Ｃへ出力する機能、運転画面データ管理装置３０Ｃで行われた運転員の運転画面の割付変更操作の可否判定結果（運転員の認証結果）を運転画面データ管理装置３０Ｃから受信する機能、および、運転画面データ管理装置３０Ｃから受信した運転員の認証結果を入出力部３４へ送る機能をさらに付加して構成される。尚、第２の監視装置１２Ｃおよび第３の監視装置１３Ｃは、第１の監視装置１１Ｃと実質的に同じ構成なので、詳細な説明は省略する。
【００９０】
運転画面データ管理装置３０Ｃは、前記監視装置から運転画面の割付変更要求を受信した際に、前記運転画面の割付変更要求の送信元となる監視装置へ当該運転画面の割付変更を要求する運転員ＩＤ情報の送信を要求すると共に、当該要求に従って監視装置１１Ｃ〜１３Ｃから送信された運転員ＩＤ情報を受け取ると、運転画面データ管理装置３０Ａに対して、監視装置１１Ｃ〜１３Ｃから送られた認証要求に基づいて、運転画面の割付変更操作を行った運転員の当該操作を許可するか否かを判定する操作可否判定部５５をさらに備え、操作可否判定部５５がアクセス可能な情報として、運転画面の割付変更操作を許可する運転員ＩＤ情報を有する操作権限情報テーブル５６をさらに格納する。
【００９１】
次に、第３のプラント運転監視制御システム１０Ｃが実行する第３の運転画面割付変更処理手順について説明する。
【００９２】
第３の運転画面割付変更処理手順は、図７に矢印で示される経路で各種情報の授受が行われ、まず、運転員からの運転画面の割付変更の入力操作を受け付ける先立ち、入出力部３４が運転員ＩＤ情報を受け付ける。入出力部３４が運転員ＩＤ情報を受け付けると、ネットワーク３２を介して伝送可能に接続された運転画面データ管理装置３０Ｃへ受け付けた運転員ＩＤ情報を送信する。
【００９３】
続いて、運転画面データ管理装置３０Ｃの操作可否判定部５５が運転員ＩＤ情報を受信すると、操作可否判定部５５は、操作権限情報テーブル５６を参照し、運転画面の割付変更の操作をしようとする運転員の固有情報と運転画面の割付変更の操作が許可されている運転員の固有情報とが一致しているか、すなわち、当該運転員に運転画面の割付変更の操作権限が付与されているかを判定する。
【００９４】
そして、操作可否判定部５５は、操作可否判定処理ステップの実行に関する履歴（例えば、どの監視装置からどの運転員から運転画面の割付変更操作の要求があったか、可否判定処理ステップの実行時刻、および判定結果等）を動作履歴として動作履歴テーブル４７Ｃに記録する。尚、運転画面データ管理装置３０Ｃに格納される動作履歴テーブル４７Ｃは、監視装置１１Ｃ〜１３Ｃの運転画面割付変更処理手順を実行するに際して、必ずしも必要な情報ではない。
【００９５】
操作可否判定部５５が運転画面の割付変更の操作をしようとする運転員に運転画面の割付変更の操作権限が付与されていると判定した場合、操作可否判定部５５から第１の監視装置１１Ｃ（運転画面割付変更更新部４１Ｃ）へ運転画面の割付変更の操作を許可する旨の情報が送られ、第１の監視装置１１Ｃの入出力部３４に運転画面の割付変更の操作を許可する旨が表示される。その後は、上述した第１の運転画面割付変更処理手順と同様である。
【００９６】
一方、操作可否判定部５５が運転画面の割付変更の操作をしようとする運転員に運転画面の割付変更の操作権限が付与されていないと判定した場合、操作可否判定部５５から第１の監視装置１１Ｃ（運転画面割付変更更新部４１Ｃ）へ運転画面の割付変更の操作を許可しない旨の情報が送られ、第１の監視装置１１Ｃの入出力部３４に運転画面の割付変更の操作を許可しない旨が表示される。
【００９７】
第３のプラント運転監視制御システム１０Ｃおよび第３の運転画面割付変更処理手順によれば、第１のプラント運転監視制御システム１０Ａおよび第１の運転画面割付変更処理手順が奏する効果に加えて、操作権限を付与された者のみ運転画面の割付変更を実施することができる。従って、第１のプラント運転監視制御システム１０Ａおよび第１の運転画面割付変更処理手順と比較して、セキュリティ性の向上を図ることができる。
【００９８】
以上、本発明に係るプラント運転監視制御システムおよび運転画面割付変更処理手順（運転画面割付変更方法）によれば、監視装置１１〜１３から運転員が運転画面の割付変更を入力操作して要求することによって、監視装置１１〜１３に任意の工程の運転画面を割り付けることができ、従来の運転監視制御システムおよび運転画面割付変更方法と比べて効率的かつ容易に運転画面の割付けを変更できる。
【００９９】
また、従来の運転監視制御システムおよび運転画面割付変更方法と比べて監視装置１１〜１３の運転画面の割付変更が効率的かつ容易に行えるため、運転監視機能を維持しつつ運転員を効率的に配置することができ、この結果、従来の運転監視制御システムに対して運転員を削減でき、運転効率を向上させることができる。
【０１００】
さらに、監視装置１１〜１３の運転画面データの改造要求が発生した場合であっても、まず、運転画面データ管理装置３０に格納されている運転画面データとしての運転画面データテーブル４６を改造しておけば、その後、必要な監視装置１１〜１３において、それぞれ必要な運転画面データを運転画面データ管理装置３０から取得して書き換えることができるので、効率的に監視装置１１〜１３の運転画面データを改造することができる。
【０１０１】
さらにまた、監視装置１１〜１３に格納された運転画面データが何らかの理由で破壊した場合にも、運転員が必要な運転画面データを運転画面データ管理装置３０から取得することによって、専用の装置や専門の技術員による作業を介在させることなく破壊していた運転画面データを修復することができる。
【０１０２】
また、監視装置１１〜１３には必要最小限の運転画面データを格納するだけで良いので、監視装置内のデータ容量を最小限に抑えることができ、データ処理負荷が必要以上に増大する事態を回避できる。
【０１０３】
一方、第２のプラント運転監視制御システム１０Ｂおよび第２の運転画面割付変更処理手順によれば、監視装置１１Ｂ〜１３Ｂの運転画面の割付を変更するにあたって安全上重要度の高い設備を含む工程については少なくとも一つの監視装置１１Ｂ〜１３Ｂで監視するよう制限を設けることによって、運転監視制御対象となるプラントの安全監視機能を保つことができる。
【０１０４】
また、第３のプラント運転監視制御システム１０Ｃおよび第３の運転画面割付変更処理手順によれば、操作権限を付与された者のみに運転画面の割付変更の実施を制限することができ、第１のプラント運転監視制御システム１０Ａおよび第１の運転画面割付変更処理手順と比較してセキュリティ性をさらに向上させることができる。
【０１０５】
尚、本発明は上記の各実施形態そのままに限定されるものではなく、実施段階ではその要旨を逸脱しない範囲で構成要素を変形して具体化しても良い。また、上記の各実施形態に開示されている複数の構成要素の適宜な組み合わせにより、種々の発明を形成できる。例えば、実施形態に示される全構成要素から幾つかの構成要素を削除しても良い。さらに、異なる実施形態にわたる構成要素を適宜組み合わせても良い。
【図面の簡単な説明】
【０１０６】
【図１】本発明の実施形態に係るプラント運転監視制御システムの基本構成を示す概略図。
【図２】本発明の第１の実施形態に係るプラント運転監視制御システムの構成および運転画面割付変更処理手順を示す説明図。
【図３】本発明の第２の実施形態に係るプラント運転監視制御システムの構成および運転画面割付変更処理手順を示す説明図。
【図４】本発明の第２の実施の形態に係るプラント運転監視制御システムの運転画面データ管理装置において運転画面割付変更可否判定部が参照する工程重要度分類テーブルの一例を示す説明図。
【図５】本発明の第２の実施の形態に係るプラント運転監視制御システムの運転画面データ管理装置において運転画面割付変更可否判定部が参照する監視装置監視対象工程テーブルの一例を示す説明図。
【図６】本発明の第２の実施形態に係るプラント運転監視制御システムの運転画面データ管理装置において実行される運転画面割付変更可否判定処理手順の処理フロー図。
【図７】本発明の第３の実施形態に係るプラント運転監視制御システムの構成および運転画面割付変更処理手順を示す説明図。
【符号の説明】
【０１０７】
１０（１０Ａ，１０Ｂ，１０Ｃ）  運転監視制御システム
１１（１１Ａ，１１Ｂ，１１Ｃ）  第１の監視装置
１２（１２Ａ，１２Ｂ，１２Ｃ）  第２の監視装置
１３（１３Ａ，１３Ｂ，１３Ｃ）  第３の監視装置
１７  第１の制御装置
１８  第２の制御装置
１９  第３の制御装置
２１  フィールド
２２  フィールド
２３  フィールド
２５  制御情報ネットワーク
３０  運転画面データ管理装置
３２  ネットワーク
３４  入出力部
３５  監視制御情報送受信部
３７  運転監視テーブル
３９  制御テーブル
４１Ａ，４１Ｂ，４１Ｃ  運転画面割付変更更新部
４５  運転画面データ提供部
４６  運転画面テーブル
４７Ａ，４７Ｂ，４７Ｃ  動作履歴テーブル
５１  運転画面割付変更可否判定部
５２  工程重要度分類テーブル
５３  監視装置監視対象工程テーブル
５５  操作可否判定部
５６  操作権限情報テーブル
【図１】
2010146058.tif 000003
【図２】
2010146058.tif 000004
【図３】
2010146058.tif 000005
【図４】
2010146058.tif 000006
【図５】
2010146058.tif 000007
【図６】
2010146058.tif 000008
【図７】
2010146058.tif 000009